(57)【特許請求の範囲】
【請求項１】
水道管に連通した給水路と、
この給水路に連通し、空気取入れ口を有するバキュームブレーカーと、
この空気取入れ口に連結したホースと、
このホースを介して前記空気取入れ口に供給する空気を吸引する吸気部とを備えた給水装置であって、
前記吸気部は、前記ホースの先端の開口から内側に挿入し、挿入方向に貫通した貫通孔、及びこの貫通孔に連通して挿入方向に延びた切欠き部を具備し、突出した状態に延びた第１連結部を有していることを特徴とする給水装置。
【請求項２】
前記吸気部は、前記バキュームブレーカーの空気取入れ口に供給する空気を吸引する吸気口と、前記第１連結部とを上部に有し、ボックス状に形成していることを特徴とする請求項１記載の給水装置。
【請求項３】
前記吸気部は前記空気取入れ口から流出した水を排水する排水口を下端部に有していることを特徴とする請求項２記載の給水装置。
【請求項４】
前記吸気部は、前記第１連結部より下方の側面部から外側へ向けて上方に傾斜した傾斜面を具備した水受け部と、この傾斜面に沿って側面部を開口した流入口とを有していることを特徴とする請求項３記載の給水装置。
【請求項５】
前記切欠き部は前記第１連結部の下側面に形成し、前記流入口はこの切欠き部に連通していることを特徴とする請求項４記載の給水装置。
【請求項６】
前記給水路に連結した捨て水ホースを備えており、
前記吸気部は、この捨て水ホースを流下した水を前記排水口から排水するように、この捨て水ホースを連結する第２連結部を有していることを特徴とする請求項３乃至５のいずれか１項記載の給水装置。
【請求項７】
請求項１乃至６のいずれか１項記載の給水装置を備えていることを特徴とするトイレ設備機器。
【発明の詳細な説明】
【技術分野】
【０００１】
本発明は給水装置及び給水装置を備えたトイレ設備機器に関する。
【背景技術】
【０００２】
特許文献１は従来の給水装置を開示している。この給水装置は水洗式便器に組み込まれた局部洗浄装置の洗浄ノズルに洗浄水を給水するものである。この給水装置は、水道管に連通した給水路と、この給水路に連通したバキュームブレーカーとを備えている。バキュームブレーカーは空気取入れ口を有しており、この空気取入れ口にホースを連結している。このホースは先端を水洗式便器に設けた吸気部に連結している。吸気部は円筒状の連結部を有しており、この連結部をホースの先端の開口から内側に挿入している。
【０００３】
この給水装置では、バキュームブレーカーの上流側の給水路内が負圧になると、水洗式便器に設けた吸気部から空気を吸引し、ホースを介してバキュームブレーカーの空気取入れ口から空気を取り入れることができる。このため、この給水装置は、給水路の下流側の汚水を吸引せず、汚水の逆流を防止することができる。
【先行技術文献】
【特許文献】
【０００４】
【特許文献１】特開平９−６００９２号公報
【発明の概要】
【発明が解決しようとする課題】
【０００５】
しかし、特許文献１の給水装置において、バキュームブレーカーの空気取入れ口から取り入れ得る空気の流量はホース及び連結部における流路面積の大小に影響する。この給水装置は、ホースの先端の開口から内側に連結部を挿入しているため、一般的にホースの内径よりも連結部の内径の方が小さくなる。つまり、連結部の流路面積の方がホースの流路面積よりも小さくなる。このため、この給水装置において、バキュームブレーカーの空気取入れ口から取り入れ得る空気の流量は連結部の流路面積の大きさによって決定する。
【０００６】
上流側の給水路内が負圧になることによって生じる汚水の逆流を防止するためには、給水路に設けたバキュームブレーカーの空気取入れ口から充分な流量の空気が取り入れられることが必要である。このため、特許文献１の給水装置において、連結部を流れ得る空気の流量を多くする必要がある。そのために、連結部の内径を大きくする（連結部の流路面積を大きくする）ことが望まれるが、連結部の内径を大きくすれば、連結部の外径も大きくなり、それに伴ってホースの外径も大きくなる等、ホースの取り回しが困難になったり、給水装置が大型になったりするおそれがある。また、給水装置の限られたスペースにホースを配置したり、連結部を設けたりしなければならないため、これらを大型化して収納することは困難である。このため、バキュームブレーカーより上流側の給水路内の負圧が急激で強力なものであった場合、この給水装置は、バキュームブレーカーの空気取入れ口から取り入れる空気の流量が不足し、給水路の下流側の汚水を吸引し、汚水が逆流してしまうおそれがある。
【０００７】
本発明は、上記従来の実情に鑑みてなされたものであって、給水路における汚水の逆流を確実に防止することができる給水装置を提供することを解決すべき課題としている。
【課題を解決するための手段】
【０００８】
本発明の給水装置は、水道管に連通した給水路と、
この給水路に連通し、空気取入れ口を有するバキュームブレーカーと、
この空気取入れ口に連結したホースと、
このホースを介して前記空気取入れ口に供給する空気を吸引する吸気部とを備えた給水装置であって、
前記吸気部は、前記ホースの先端の開口から内側に挿入し、挿入方向に貫通した貫通孔、及びこの貫通孔に連通して挿入方向に延びた切欠き部を具備し、突出した状態に延びた第１連結部を有していることを特徴とする。
【０００９】
この給水装置は、第１連結部が、ホースの先端の開口から内側に挿入する挿入方向に貫通した貫通孔、及びこの貫通孔に連通して挿入方向に延びた切欠き部を具備している。このため、第１連結部をホースの先端の開口から内側に挿入した部分において、第１連結部の貫通孔だけでなく、切欠き部を通じて、空気がホース内に流入することができる。つまり、第１連結部に切欠き部を設けることによって、第１連結部をホースの先端の開口から内側に挿入した部分の流路面積を大きくしたため、この部分を流れ得る空気の流量を多くすることができる。このため、バキュームブレーカーの上流側の給水路内が負圧になった場合、バキュームブレーカーの空気取入れ口から充分な空気を取り入れることができる。このため、この給水装置は、給水路の下流側の汚水を上流側に吸引することを抑制し、汚水の逆流を確実に防止することができる。
【００１０】
したがって、本発明の給水装置は給水路における汚水の逆流を確実に防止することができる。
【００１１】
また、この給水装置は、第１連結部をホースの先端の開口から内側に挿入している。このため、締結部材によってホースの外周部から締め付けることによって、ホースと第１連結部とを強固に連結することができる。
【００１２】
前記吸気部は、前記バキュームブレーカーの空気取入れ口に供給する空気を吸引する吸気口と、前記第１連結部とを上部に有し、ボックス状に形成し得る。この場合、吸気口及び第１連結部をボックス状の吸気部の上部に有しているため、汚水が吸気口及び第１連結部から流入し難くなっている。つまり、吸気部に連結したホース内に汚水が流入し難いため、バキュームブレーカーより上流側の給水路内が負圧になってバキュームブレーカーの空気取入れ口から空気を取り入れる際、空気取入れ口に汚水が流入することを防止することができる。
【００１３】
前記吸気部は前記空気取入れ口から流出した水を排水する排水口を下端部に有し得る。この場合、バキュームブレーカーの空気取入れ口から流出した水をホースを介して吸気部内に流入させ、排水口から所定の場所に排水することができる。
【００１４】
前記吸気部は、前記第１連結部より下方の側面部から外側へ向けて上方に傾斜した傾斜面を具備した水受け部と、この傾斜面に沿って側面部を開口した流入口とを有し得る。この場合、バキュームブレーカーの空気取入れ口から流出した水が、第１連結部とホースとを連結した部分から吸気部の外側に流出してしまった場合でも、その水を水受け部によって受け止め、流入口から吸気部内に戻すことができる。このため、吸気部に設けた排水口から所定の場所にその水を排水することができる。
【００１５】
前記切欠き部は前記第１連結部の下側面に形成し、前記流入口はこの切欠き部に連通し得る。この場合、第１連結部とホースとを連結した部分から流出する水が流入口の縁に沿って下方に流れ、吸気部内に流入させることができる。このため、吸気部に設けた排水口から所定の場所にその水を排水することができる。
【００１６】
前記給水路に連結した捨て水ホースを備えており、
前記吸気部は、この捨て水ホースを流下した水を前記排水口から排水するように、この捨て水ホースを連結する第２連結部を有し得る。
【００１７】
この場合、捨て水ホースを流下した水を吸気部に設けた排水口から所定の場所に排水することができる。また、給水路から排水される水を吸気部に集めることによって、給水装置のコンパクト化を図ることができる。
【図面の簡単な説明】
【００２０】
【図１】実施例の局部洗浄装置に用いた給水装置の水回路を示す概略図である。
【図２】実施例の吸気部を示す断面図である。
【図３】実施例の吸気部本体を示す側面図である。
【図４】実施例の吸気部本体を示す斜視図である。
【図５】実施例の吸気部本体を示す背面図である。
【図６】実施例の吸気部本体を示す上面図である。
【図７】図６における矢視Ｘ−Ｘ断面図である。
【発明を実施するための形態】
【００２１】
本発明の給水装置をトイレ設備機器である局部洗浄装置に用いて具体化した実施例を図面を参照しつつ説明する。
【００２２】
＜実施例＞
実施例の局部洗浄装置に用いた給水装置は、図１に示すように、図示しない水道管に連通し、局部洗浄装置のノズルユニット２０に洗浄水を供給する給水路１０を備えている。給水路１０は、上流側から順に、ストレーナーユニット１１、定流量弁１２、電磁式開閉弁１３、流量センサー１４、熱交換ユニット１５、バッファータンク１６、ポンプＰ、及びノズルユニット２０に連通している。熱交換ユニット１５は、内部流路の上流端に設けた入水サーミスタ１５Ａと、下流端に設けた出湯サーミスタ１５Ｂ及びサーモスタット１５Ｃとを有している。
【００２３】
ノズルユニット２０はお尻洗浄ノズル２１とビデ洗浄ノズル２２とを有している。また、ノズルユニット２０は、お尻洗浄ノズル２１に洗浄水を供給する２経路のお尻用給水路２１Ａと、ビデ洗浄ノズル２２に洗浄水を供給する一経路のビデ用給水路２２Ａと、お尻洗浄ノズル２１及びビデ洗浄ノズル２２を洗浄する一経路の洗浄用給水路２３とを有している。さらに、ノズルユニット２０は、給水路１０から流入した洗浄水の流出先をお尻用給水路２１Ａ、ビデ用給水路２２Ａ、又は洗浄用給水路２３のいずれかに切り替え、流出する流量を調節する流量調節機能付き切替弁２４を有している。
【００２４】
給水装置は、電磁式開閉弁１３の下流側であり、かつ流量センサー１４の上流側の給水路１０に連通路１７を介して連通する第１バキュームブレーカー３１を備えている。また、給水装置は、ポンプＰの下流側であり、かつノズルユニット２０の流量調節機能付き切替弁２４の上流側の給水路１０に連通路１８を介して連通する第２バキュームブレーカー３２を備えている。
【００２５】
第１バキュームブレーカー３１及び第２バキュームブレーカー３２は、夫々空気取入れ口３１Ａ、３２Ａを有している。給水装置は、第１バキュームブレーカー３１の空気取入れ口３１Ａに連結したホース３３Ａ、及び第２バキュームブレーカー３２の空気取入れ口３２Ａに連結したホース３３Ｂを備えている。ホース３３Ａ及びホース３３Ｂは中間部で連結し、その中間部から一本のホース３３Ｃが延びている。
【００２６】
給水装置は、ホース３３Ｃ、３３Ａを介して第１バキュームブレーカー３１の空気取入れ口３１Ａに供給する空気を吸引し、かつホース３３Ｃ、３３Ｂを介して第２バキュームブレーカー３２の空気取入れ口３２Ａに供給する空気を吸引する吸気部４０を備えている。吸気部４０はホース３３Ｃの先端部を連結する第１連結部４１を有している。
【００２７】
給水装置は、給水路１０に連通した連通路１７を分岐した捨て水ホース３４を備えている。吸気部４０は、捨て水ホース３４を連結する第２連結部４２を有しており、捨て水ホース３４の先端部を連結している。このように構成された給水装置を有する局部洗浄装置は、便器本体１の上面であって、便鉢部２より後方に載置して取り付けられる。
【００２８】
吸気部４０は、図２〜図７に示すように、吸気部本体４０Ａとベースプレート４０Ｂの一部とから構成されている。吸気部本体４０Ａは、後方（図２及び図３において右方向）に向かって上昇する傾斜面からなる上面部４３と、上面部４３の周縁から下方に延びた側面部４４とを有し、内部に空洞部４５を形成している。このように吸気部４０はボックス状に形成されている。
【００２９】
ベースプレート４０Ｂは、上述した給水装置等の局部洗浄装置を構成する部品を上面に固定しており、局部洗浄装置を便器本体１の上面に取り付けた際、便器本体１の便鉢部２より後方の上面に固定されるものである。吸気部本体４０Ａはこのベースプレート４０Ｂが便器本体１の上面に固定された状態において便鉢部２側に位置するベースプレート４０Ｂの端部の上面に固定されている。ベースプレート４０Ｂは上面に固定した給水装置等の局部洗浄装置を構成する部品を覆うように図示しないカバー部材が取り付けられている。また、カバー部材には図示しない便座及び便蓋が回動自在に取り付けられている。
【００３０】
第１連結部４１は吸気部本体４０Ａの後側（図２及び図３における右側）の側面部４４の上部から斜め上方かつ後方に向けて突出した状態に延びている。第１連結部４１は、ホース３３Ｃの先端の開口から内側に挿入され、ホース３３Ｃの先端部に連結している。ホース３３Ｃの外周部から、図示しない締結部材によって、ホース３３Ｃと第１連結部４１とを締め付けている。このため、ホース３３Ｃと第１連結部４１とを強固に連結することができる。
【００３１】
第１連結部４１は、この挿入方向に貫通した貫通孔４１Ａと、この貫通孔４１Ａに連通して挿入方向に延びた切欠き部４１Ｂとを具備している。切欠き部４１Ｂは第１連結部４１の下側面に形成されている。つまり、第１連結部４１は貫通孔４１Ａの下方が切欠き部４１Ｂによって開口している。吸気部本体４０Ａは傾斜した上面部４３の上部である後端部に上下方向に貫通した吸気口４６を形成している。
【００３２】
第１連結部４１に切欠き部４１Ｂが設けられているため、第１連結部４１をホース３３Ｃの先端の開口から内側に挿入した部分の流路面積が切欠き部４１Ｂの流路面積分、大きくなっている。このため、この部分を流れ得る空気の流量を多くしている。よって、第１バキュームブレーカー３１、及び第２バキュームブレーカー３２の空気取入れ口３１Ａ、３２Ａから充分な空気を取り入れることができる。つまり、第１バキュームブレーカー３１、及び第２バキュームブレーカー３２の上流側の給水路１０内が負圧になっても、第１バキュームブレーカー３１、及び第２バキュームブレーカー３２の空気取入れ口３１Ａ、３２Ａから充分な空気を取り入れることができるため、給水路１０の下流側の汚水を上流側に吸引することが抑制され、汚水の逆流を確実に防止することができる。
【００３３】
したがって、実施例の局部洗浄装置に用いた給水装置は給水路における汚水の逆流を確実に防止することができる。
【００３４】
また、吸気口４６及び第１連結部４１を吸気部４０の上部に設けたため、汚水が吸気口４６及び第１連結部４１から流入し難くなっている。つまり、吸気部４０に連結したホース３３Ｃ、３３Ａ、３３Ｂ内に汚水が流入し難い。このため、第１バキュームブレーカー３１、及び第２バキュームブレーカー３２より上流側の給水路１０内が負圧になって第１バキュームブレーカー３１、及び第２バキュームブレーカー３２の空気取入れ口３１Ａ、３２Ａから空気を取り入れる際、これら空気取入れ口３１Ａ、３２Ａに汚水が流入することを確実に防止することができる。
【００３５】
吸気部４０は、空洞部４５の下面を形成するベースプレート４０Ｂの前端部に、垂直方向に貫通した排水口４７を有している。排水口４７はベースプレート４０Ｂが便鉢部２の上方にはみ出した部分に形成されている。このため、第１バキュームブレーカー３１の空気取入れ口３１Ａからホース３３Ａ、３３Ｃを介して吸気部４０の空洞部４５内に流入した水、及び第２バキュームブレーカー３２の空気取入れ口３２Ａからホース３３Ｂ、３３Ｃを介して吸気部４０の空洞部４５内に流入した水を排水口４７から便鉢部２の所定の場所に排水することができる。
【００３６】
また、ホース３３Ｃから吸気部４０の空洞部４５内に水が流入する際、第１連結部４１が前方に向けて下方に傾斜しているため、水は空洞部４５内の前方に向けて下方に流出する。この際、空洞部４５内に流出した水の勢いが強い場合、その水は前方に向けて下方に傾斜した上面部４３の内面に衝突する。上面部４３の内面に衝突した水は、上面部４３の内面が前方に向けて下方に傾斜しているため空洞部４５内を下方に向けて流れ落ちる。このため、空洞部４５内に流出した水は吸気口４６から流出せずに排水口４７から確実に排水することができる。
【００３７】
吸気部本体４０Ａは第１連結部４１より下方の側面部４４から後方へ向けて上方に傾斜した傾斜面４８Ａを具備した水受け部４８を有している。水受け部４８は、傾斜面４８Ａの左右両端部から上方に延びる立ち壁部４８Ｂを具備している。また、吸気部本体４０Ａは、水受け部４８の傾斜面４８Ａに沿って側面部４４を開口した流入口４９を有している。この流入口４９は、上下方向の中間部から上方に向けて左右幅を徐々に狭め、第１連結部４１に設けられた切欠き部４１Ｂに連通している。
【００３８】
第１バキュームブレーカー３１の空気取入れ口３１Ａ、又は第２バキュームブレーカー３２の空気取入れ口３２Ａから流出した水が、第１連結部４１とホース３３Ｃとを連結した部分から吸気部４０の外側に流出してしまった場合でも、その水を水受け部４８によって受け止め、流入口４９から空洞部４５内に戻すことができる。また、第１連結部４１とホース３３Ｃとを連結した部分から流出する水をこの流入口４９の縁に沿って下方に流し、空洞部４５内に流入させることができる。このため、排水口４７から便鉢部２の所定の場所に排水することができる。
【００３９】
第２連結部４２は、吸気部本体４０Ａの前端部であって排水口４７の上方に、垂直方向に貫通して形成している。この第２連結部４２は、平面視形状が捨て水ホース３４の外径よりも僅かに大きい円形状であって、周縁部の２か所から外側に拡がった矩形状の貫通孔部４２Ａを有している。捨て水ホース３４は、この第２連結部４２に上方から先端部を挿入し、先端の開口が排水口４７の真上に位置している。また、捨て水ホース３４は、先端の開口から垂直に捨て水を排水するように、第２連結部４２に挿入した先端部は垂直方向を向いている。
【００４０】
この局部洗浄装置は、ノズルユニット２０に供給する洗浄水の流量が絞られることによって、水道管からこの給水装置に供給される洗浄水の流量の方が多くなった際、その余剰水を捨て水ホース３４を介して、便鉢部２に排水する。この際、吸気部４０の排水口４７から便鉢部２の所定の場所に排水することができる。このように、給水路１０から排水される水を吸気部４０に集めることによって、給水装置のコンパクト化を図ることができる。
【００４１】
また、捨て水ホース３４の先端の開口から排水する余剰水は勢いがあるため、排水口４７に発生したぬめりをこの余剰水によって流し落とすことができる。このため排水口４７がぬめりによって閉鎖されることを防止することができる。
【００４２】
また、給水路１０内に負圧が発生し、捨て水ホース３４を介して空気が吸引される場合には、第２連結部４２の貫通孔部４２Ａから空気を吸引するため、捨て水ホース３４が汚水を吸引してしまうことを確実に防止することができる。
【００４３】
吸気部本体４０Ａは、捨て水ホース３４を第２連結部４２から後方に向かって斜め上方に案内する上ガイド部５１と、下ガイド部５２とを有している。上ガイド部５１は、上面部４３から外側に突出して延びており、平板状に形成されている。下ガイド部５２は、前端部に上方に膨らんだ半円柱状の凸部５２Ａが形成されている。また、下ガイド部５２は、凸部５２Ａの後方が上ガイド部５１と平行な位置に延びた平板状に形成されている。上ガイド部５１と、下ガイド部５２の後部とは、捨て水ホース３４の外径に略等しい間隔を有しており、捨て水ホース３４を挟持して案内することができる。下ガイド部５２の前端部に形成した凸部５２Ａは、第２連結部４２に捨て水ホース３４の先端部が垂直方向に延びて配置されやすくするとともに、捨て水ホース３４を急激に折り曲げずに、捨て水ホース３４がつぶれてしまうことを防止するものである。
【００４４】
本発明は上記記述及び図面によって説明した実施例に限定されるものではなく、例えば次のような実施例も本発明の技術的範囲に含まれる。
（１）実施例では、給水装置を局部洗浄装置に用いたが、便器洗浄装置等、その他のトイレ設備機器に用いてもよい。特に、スペースに限りのある装置に用いると効果的である。
（２）実施例では、吸気部をボックス状に形成したが、吸気部はどのような形状であってもよい。この場合、第１連結部が吸気部から突出した状態に延びて形成されていればよい。
（３）実施例では、吸気口を吸気部の上面部に形成したが、吸気口は吸気部のどこに形成してもよい。この場合、高い位置に吸気口を形成した方が汚水が流入し難くなり好適である。
（４）実施例では、第１連結部を吸気部の側面部の上部に設けたが、第１連結部は吸気部のどこに設けてもよい。この場合、高い位置に第１連結部を設けた方が汚水が流入し難くなり好適である。
（５）実施例では、吸気部が吸気部本体とベースプレートの一部とにより構成されたが、吸気部を１部品で構成してもよい。
（６）実施例では、吸気部に水受け部を設けたが、水受け部を設けなくてもよい。この場合、流入口も吸気部に設けなくてもよい。
（７）実施例では、流入口を切欠き部に連通したが、連通しなくてもよい。
（８）実施例では、吸気部に捨て水ホースを連結したが、吸気部に捨て水ホースを連結しなくてもよい。この場合、捨て水ホースは他の部分に連結して余剰水を便鉢部に排水するとよい。
【符号の説明】
【００４５】
１０…給水路
３１、３２…バキュームブレーカー
３１Ａ、３２Ａ…空気取入れ口
３３Ａ、３３Ｂ、３３Ｃ…ホース
３４…捨て水ホース
４０…吸気部
４１…第１連結部
４１Ａ…貫通孔
４１Ｂ…切欠き部
４２…第２連結部
４４…側面部
４６…吸気口
４７…排水口
４８…水受け部
４８Ａ…傾斜面
４９…流入口
【図１】
0005679845.tif 000002
【図２】
0005679845.tif 000003
【図３】
0005679845.tif 000004
【図４】
0005679845.tif 000005
【図５】
0005679845.tif 000006
【図６】
0005679845.tif 000007
【図７】
0005679845.tif 000008